(57)【要約】      （修正有）【課題】費用削減になり、またリサイクル等の機能を備えた家庭菜園キットを提供する。【解決手段】蓋ａつき発泡スチロール製栽培容器ｂを利用することで、内部に必要資材のみを封入し送ることで、容器と梱包資材を兼ねる。さらに、梱包資材と栽培容器を兼ねたことで、無駄な段ボールなどの梱包資材がなくなった。収穫後は、栽培容器に付属の蓋ａをつけることでそのまま回収容器になり、宅配便で回収サービスを利用することで、収穫後の土の処分が不要となる。セットの内容には種シートが付属しており、種シートを利用することで種まきに関する知識が不要となり初心者でも容易に種まきができるようになる。また、種シートは種まき後の水やりによる水流により種が流動しないため、種を予定植えつけ位置に確保することができるので、計画通りの位置での発芽ができる。【選択図】図１
2014045660.tif 000002
【特許請求の範囲】
【請求項１】
栽培容器として、蓋つき発泡スチロールを採用したことで、発送および回収サービス時において梱包資材を軽減し、デザインシールを用いることで従来の栽培容器に比べデザイン性の多様化を実現し、また、必要資材をセットで同梱したことで、無駄な資材の発生を防ぐことになり、運送費の軽減につながり、また、環境に配慮した資材を選択し、容器は発泡スチロール素材、底石としてヤシの実マットを具したことでリサイクル性に優れ、さらに、育成上の手間を軽減するため、種シートを使用することで、株間、条間等の知識がなくとも適切な位置に種まきができ、種まき後の水やりによる種の流動を防ぐことで、発芽位置を適切に調整し、後の間引き作業に好影響を与えることで収穫の安定化を図り、また、付属の覆土用土は各品種と容器サイズに合わせ土の量を調整しているので、適切な覆土厚になるようにし、種シートと覆土用土を具することで家庭菜園をより手軽なものとし、初心者にとってより楽しみやすい商品とした。上記特徴をもつ回収サービス付簡単家庭菜園キット。
【請求項２】
品種、プランターサイズごとに種を適切な位置に配列した種シートを用いることで、種まき作業を簡略化し、また種まき後の水やりによっての種の流動を防ぐことで、その後の生育に好影響を与えることで安定収穫率を上昇させることができる特徴を持つ家庭菜園用の種シートの考案。
【発明の詳細な説明】
【技術分野】
【０００１】
本発明は主に都市部の一般家庭の家庭菜園に関するものであり、家庭菜園を行う上で、従来の家庭菜園と比較した場合に手軽であり、費用削減になり、またリサイクル等の機能を備えた家庭菜園キットに関するものである。
【背景技術】
【０００２】
一般的に家庭菜園とは、一般住宅においてプラスチック製プランターあるいは陶器製の植木鉢(以下、「プランター等の植木鉢と称する」）や培養土や肥料や種子などをホームセンターなどの小売店で購入し、ベランダや玄関先に設置し、主に野菜を栽培し育成過程と収穫とを楽しむ趣味の分野である。
【先行技術文献】
【特許文献】
【０００３】
【特許文献１】上記事項は文献を挙げて例示するまでもない一般的な事項である。
【発明の概要】
【発明が解決しようとする課題】
【０００４】
家庭菜園の資材の入手はホームセンターなどの小売店またはインターネットなどの通信販売形式でプランター等の植木鉢や培養土や底石や肥料や種子などを購入しているがプランター等の植木鉢のサイズに呼応する量の培養土や底石や肥料や種子の必要量のみの購入は難しく資材のあまりが出てしまうケースが多い。
【０００５】
また通信販売の場合資材費に対する輸送コストが過分であるため家庭菜園資材は基本的に安価なものの割に鉢が大きく土も重いという点で資材費に対して輸送コストが比較的に高く感じる傾向がありその感覚を解消する為に家庭菜園において輸送コストを商品代金比較において安価に感じるほどの大量購入はあまりないと思われる。
【０００６】
市販されているプランター等の植木鉢は基本的なカラーバリエーションが単色の白や茶や黒や緑といったぐあいに種類が乏しく無地であるためデザイン性に優れていない。
【０００７】
家庭菜園は資材を揃え設置し育成準備を行い種まきから収穫という一連の流れを経て終了するが、終了後また次の植物を育てようとする場合に土を入れ替えなければならなくなる。その場合に作業スペースの確保が必要となるが都市部の住宅環境の場合はスペースの確保が難しい場合が多く、例えばマンション住まいの場合はベランダで作業を行うと風などの影響で作業がやりにくい上に隣世帯に埃が舞うことも懸念されるし、室内での土の入れ替え作業は環境的に適していない。
【０００８】
また家庭菜園終了後に資材を廃棄する場合に資材の分別の手間が必要になり、さらに土は自然界のものなのでほとんどの自治体では一般可燃ごみや不燃ごみや粗大ごみや廃品回収での回収は行っていないので現状ではうしろめたさを感じながら可燃ごみに混ぜて廃棄するかあるいは川や公園に人目に知れず廃棄している。
【０００９】
先述のような問題の他に栽培上での問題点として種まきと間引きの点にあり、市販の種袋には裏面に種の蒔き方等の記述があるがそれは露地栽培についてでありプランター等の植木鉢を用いた家庭菜園向きではないことが多く、また種まき後には必ず水やりをするのだがその際に秩序をもって種をまいたのに水やりを行った際の水流で種が流れてしまい無秩序の状態で発芽する場合が多い、たとえば一方に偏った状態になり無秩序で発芽したばあい間引きが難しくなり間引きが難しくなると健全な育成において収穫に大きく影響をあたえる。
【００１０】
都市部ではホームセンターなどの小売店は少なく、郊外に足を延ばさなければならないが、都会において車を所有している割合は少ない。公共交通網は発達しているが、家庭菜園資材の場合は購入後、バス、電車で運搬するには困難である。そこで、一般的にインターネット等による通信販売で購入し宅配便で受け取る。その際、資材は段ボールに梱包されて送られてくる。その場合，のちに段ボールを廃棄する手間と梱包資材の無駄が生じる。
【００１１】
プランター等の植木鉢による土壌栽培の場合、栽培容器に土を入れる前に、底石という資材を容器の底に敷き詰める作業が必要である。その理由は、水はけを良くする排水性の向上にある。容器の排水穴から土が流れ出るのを緩和することで排水穴の目詰まりを防止する役割が底石にはある。底石は、文字通り小石を利用したり、現在ではプラスチック製で網目状のザルに似た資材も販売されている。底石素材が小石の場合は資材購入の際、または運搬の際に重量が重い、また、廃棄の問題で先述の土の場合同様に一般可燃ごみでも、不燃ごみでもないため廃棄問題が生じる。プラスチック製素材の場合においても土との分別処理が必要となる。その後粗大ごみ、不燃ごみ、廃品回収の日にプラスチック材として廃棄する手間が生じる。
【課題を解決するための手段】
【００１２】
本発明の回収サービス付簡単家庭菜園キットは小売店、インターネットによる購入方法は従来通りであるが、プランター等の植木鉢のサイズに合わせ培養土と底石素材と肥料と種子との量が調整されており資材の余りがでないようにセット商品とする。また、小売店での購入においては申込用紙に必要事項を記入する形態での受注とし、後日指定配送先へ宅配便を利用し商品を送付する。
【００１３】
宅配便利用をする場合に従来の課題である輸送コスト自体をなくすことはできないが、軽減させることは可能である。資材をセット販売にしたことで余分な資材を削減することで、軽量と減量化とをすることで配送コストを軽減できる。
【００１４】
従来のプランター等の植木鉢は、主にプラスチック製の大量生産の工業品であるために安価ではあるがカラーバリエーション等のデザイン性に乏しかったが、本発明のプランター素材は発泡スチロール製でできている。発泡スチロールの外周にプラスチック製のデザインシールを貼り付けることで容易に様々なデザイン、カラーを施すことが可能になった。発泡スチロールはコストが安価であり、非常に軽量である点も輸送時における利点であり、また、デザインシールを張り付けることで、発泡スチロール本体の保護の役割もあり、耐久性を向上した。また、プラスチック製製品に比べ、プランター本体自体の成型が小ロットから可能であり、製造コスト面でも安価である。これによりプランター自体の形状のデザイン性においても優良である。デザインシールにはユーザー独自の写真や絵やメッセージなどを印刷することで、ギフト等の商品利用価値の創造も可能である。
【００１５】
本発明の回収サービス付簡単家庭菜園キットでは、種まきから収穫という一連の過程を経た後、容器ごと回収サービスを付けることで、土の入れ替えと資材の廃棄の問題とを解決する。本発明の回収サービス付簡単家庭菜園キットの容器は先述のとおり発泡スチロール製であり、容器には蓋がついており購入利用者はまず初めに蓋をあけ、内容物を手順どおりにセットし栽培から収穫の過程を経て、保管しておいた当初蓋を被せ回収サービスを利用し送り返すことで、片付けと廃棄との手間を省いている。
【００１６】
先述のように購入利用者では、廃棄の手間がなくなったことで、当然に資材の分別処理の手間が不要になった。返却された資材は、通常は分別して廃棄するのだが、本発明の回収サービス付簡単家庭菜園キットの資材はほとんどがリサイクル素材で構成されている。容器の素材となる発泡スチロールとそれに張り付けられているデザインシールとは、共に分別すことなく溶解され、ポリシチレンという素材になり多方面の加工品に再利用される。また、培養土自体は再度、有機物を加え発酵させ、堆肥化し必要な肥料を加え再利用する。
【００１７】
種まきについての課題は、セットに同梱されている種シートを利用することで解決する。種シートとは容器サイズにあらかじめカットされた水溶性シートに既存の技術加工品であるシーダーテープを付着したものである。シーダーテープとは、任意の種子を任意の間隔で配置しそれを水溶性の素材で包んだ加工品である。従来、農地の種まきにおいて利用され、株間調整などが整っていること、広大な土地での種まき作業の労働力の軽減に効果がある商品である。それを小さなプランターで利用することにした。シーダーテープとは形状は紐状である。プランター利用においてはシーダーテープをプランターサイズにカットし、あらかじめ容器に土を入れた状態の土の上に敷設したのみの利用では、種まき直後の水やりでの水流でシーダーテープ自体が流動し、適切な芽吹き位置が保証されない。プランター栽培においては、水やりを行うと、土の表面で洪水のような状態になるのでシーダーテープ自体が流動する。そこでこの状況を緩和するため、容器の表面の形状でカットした水溶紙にシーダーテープを固定されることで、計画位置での発芽を可能にした。
計画位置での発芽は後の間引き作業を容易にし、安定した収穫に良い影響を与える。
【００１８】
本発明の回収サービス付簡単家庭菜園キットは、蓋つき発泡スチロール容器を利用し、その内部に必要素材を同梱し発送回収する方式で栽培容器は、輸送梱包資材の役割を兼ねている。それ故に、段ボール等の梱包資材費を軽減し、また、梱包資材の廃棄の手間を省いている。
【００１９】
本発明の回収サービス付簡単家庭菜園キットでは、底石素材として従来の小石、プラスチック素材ではなく、ヤシの実マットを採用した。ヤシの実マットとは、ヤシの実を構成しているなかの繊維質を乾燥させ天然ゴムで成型した厚さ１ｃｍくらいの天然繊維マットである。また、ヤシの実の繊維は、土壌改良剤として用いられ、市販の培養土の成分に含まれている場合もある。ヤシの実マットは非常に軽量なので、小石素材の底石素材に比べ運搬するうえで効率が良い。また、繊維の目が細かいので、水やり時の排水において土の流失を防ぎ、排水時の設置床面の汚れを軽減できる。さらに回収時後の分別作業において、土とヤシの実マットを分別する必要がなく、養分を含んだヤシの実マットをそのまま回収土と混合することで、土のリサイクルにおいても有益である。ヤシの実マットは植物栽培における底石素材として排水性は高いが、必要な保水力も兼ねている優良素材である。
【発明の効果】
【００２０】
蓋つき発泡スチロール製容器を採用したことで、形状、デザイン性にバリエーションを加えた、また、蓋つき容器にしたことで商品の発送、回収時の利便性を増した。その効果は、手軽であること、無駄な梱包資材を軽減したこと、容器自体が丈夫で軽量である点である。
【００２１】
必要資材を必要量とすることで無駄を省いた。その効果は、余分な資材の廃棄をする必要がなくなった点であり、必要最小限の資材量とすることで重量軽減を図り、物流コストを軽減できる点である。
【００２２】
種まきシートを付属した。この効果は、数ある種類の種を計画通りに種の品種ごとにプランター等の植木鉢等の育成容器のサイズに合わせて理想的配置の種まきができる点であり、種まきの手順を簡略化できる点である。セットの内容には種まきシートの他に関連で覆土が入った小袋があり、それを使用することで、品種に合わせた最適な覆土の厚さ調整もできる。種まきシートの効果は理想的な配置での種まきをすることで、発芽位置が規則的になり、のちの間引き作業時に計画的間引きができやすいためプランターという限られたスペースにおいて最大収穫量の期待値が向上する点である。
【００２３】
底石素材としてヤシの実マットを採用した。その効果は、従来の底石素材に比べ軽量なため運搬時において有効である点であり、またヤシの実マットは優れた排水性をもちながら保水力も兼ねているためプランター栽培に適している点とヤシの実マットは繊維の目が緻密であるため土の流出と養分の流失を防ぎ、設置床面に土を排出しないため設置床面が汚れにくい点であり、さらに、ヤシの実マットを採用することで、回収後の作業において土との分別作業を要せず、さらに土のリサイクル過程において土壌改良材としての効果を併せ持つ点である。
【図面の簡単な説明】
【００２４】
【図１】商品の外観図。
【図２】商品の未開封時の断面図。
【図３】図２のｄの内部に封入されている部材の図。
【図４】準備の手順の図。
【図５】種まきの手順の図。
【図６】発芽から収穫の手順の図。
【図７】回収の手順の図。
【図８】回収後の作業の手順の図。
【図９】種シートの図。
【図１０】覆土用培養土の図。
【図１１】ヤシの実マットの図。
【図１２】デザインシールの図。
【図１３】容器の底面についての図。
【発明を実施するための形態】
【００２５】
以下、本発明の実施例について図面を参照しながら説明する。図１は商品の外観図である。aとbの素材は発泡スチロール製でaが蓋になっており、容器の周囲にはcのデザインシールテープを巻いており、cの素材はプラスチック製である。ｂの内部に必要資材を入れaで蓋をすることで、栽培容器としての要素と梱包資材としての要素を兼ねている。
【００２６】
図２は商品の未開封時の断面図である。aが蓋です。ｂが栽培容器です。ｃがデザインシールです。dは資材の入っている袋です。eが内蓋です。fが培養土です。gがヤシの実マットです。hが排水穴です。iが排水用底板です。
【００２７】
図３は図2のdの資材の入っている袋の中身の各資材の図です。d1がネームプレートで、何の種をいつ植えたかを記載できます。d2はｄ１のネームプレートを先端の洗濯バサミのようなクリップにはさみ土に刺す棒です。d3が種シートです。d4が覆土の入った袋で、栽培容器の大きさ、種の品種に合わせて土の量を調整したものです。ｄ５は育成ガイドで、これを参考に育成します。
【００２８】
図４は準備の手順の図です。(イ）でaの蓋を開けます。aの蓋は回収時に必要となるので保管が必要です。（ロ）でdの資材の入っている袋とeの内蓋を取り出します。(ハ）でｆの表面を平らにし、上から水を与え、排水穴のｈより排水するまで水やりをする。
【００２９】
図5は種まきの手順の図です。(ニ）でｆの上にd3の種まきシートをのせる。（ホ）でd3の上に覆土のd4を入れる。覆土d4を平らにすると種の品種に応じた適切な覆土厚ができる様になっている。（へ）でｄ４を手で鎮圧し種を固定する。その後d4が湿る程度に軽く水やりをする。
【００３０】
図６の発芽から収穫の手順の図の（ト）で規則正しく発芽したjを間引きkの様に成長を促し、ｌの様になれば収穫する。図では説明の為に果菜類をイメージ図としているが、葉物類、根菜類も同様の手順である。
【００３１】
図７は回収の手順の図であり、(チ）で収穫が終わるとｂに保管しておいた蓋aを被せ（リ）の状態にし宅配便にて送り返す。送り返すことで収穫後の片付けと資材の廃棄の手間が省ける。また、この段階で栽培容器bは梱包資材としての用途に変わる。
【００３２】
回収後は、図8の回収後の作業の手順の図の（ヌ）のaとｂとcは溶解され、再利用資材の原料になる。（ル）のfとｇは分別せずにそのまま混ぜ込み有機物を加え、肥料を与える等の適切な処理を施し上質な再生土として再利用する。
【００３３】
図９は種シートについての図です。種シートd3はｄ３−２の水溶紙にd3-1の水溶性シーダーテープを貼りつけることでできている。ちなみにｄ３−３は種である。種シートは栽培容器のサイズに合わせカットされており、シーダーテープには種の品種に応じての株間で種を封入しており、そのシーダーテープを種の品種に応じた適切な感覚で水溶紙に貼りつけたものです。これにより、従来の種まき後の種の流動を防ぎ、計画的な発芽を手軽にしました。また、種の知識のない方にも簡単に種まきができるようにしました。この種シートｄ３は水やり後程なく解けてなくなる。
【００３４】
図１０の覆土用培養土の図のd4はｆの培養土とは別に細かい粒子の発芽に適した土を小袋に、品種、栽培容器のサイズに適合した量を入れました。これにより、利用者には品種ごとに異なる覆土厚の調整が不要になり、家庭菜園の初心者の方でも手軽に覆土厚調整ができるようになりました。
【００３５】
図11のヤシの実マットは底石素材の代替品です。ヤシの実マットは適度な排水性と保水性を兼ねた素材です。また、ヤシの実マットはヤシの実繊維を高密度で絡めているので、排水はするが、土の粒子は排水時に流出しないので、設置床面を汚さない利点がある。
【００３６】
図１２のデザインシールは、栽培容器のカラーバリエーションを多彩にすることが可能である特性以外に、栽培容器自体を保護する役割を持っている。cのデザインシールを栽培容器の外周に巻きつけることで、栽培容器に土を入れることで、栽培容器の内から外へかかる力を支える役目ももっている。また、本発明の栽培容器は発泡スチロール製なので、頻繁な水やりや日光によりいくぶん劣化するが、デザインシールを巻きつけることで劣化を軽減できる。
【００３７】
図１３の用に容器の底面にはhの排水穴があいている。iは排水板であり、容器底面を床面から少し浮かし排水を促すための役目がある。
【実施例】
【００３８】
本発明は回収サービス付簡単家庭菜園キットであり、主に一般家庭や児童学習における学校教材において利用されることを想定しており、本発明品を利用することで、従来より手軽に栽培体験ができるようになる。販売代理店である小売店で申込受付をするか、もしくはインターネット等の通信販売形式で注文受付することで、商品を後日、宅配便により送付する。購入者は収穫後、回収サービスを利用し送り返す。
【図１】
2014045660.tif 000003
【図２】
2014045660.tif 000004
【図３】
2014045660.tif 000005
【図４】
2014045660.tif 000006
【図５】
2014045660.tif 000007
【図６】
2014045660.tif 000008
【図７】
2014045660.tif 000009
【図８】
2014045660.tif 000010
【図９】
2014045660.tif 000011
【図１０】
2014045660.tif 000012
【図１１】
2014045660.tif 000013
【図１２】
2014045660.tif 000014
【図１３】
2014045660.tif 000015